(57)【要約】【課題】  茎稈引起し装置において、引起し爪と爪起し部材の接当による摩耗や騒音を低減させる。【解決手段】  複数の引起し爪１８が起伏自在に枢着された無端状の引起しチェン１７を、引起しケース１１の上下に設けられる駆動輪１３及び従動輪１４に懸回し、引起しチェン１７の上昇経路では、引起し爪１８を起立させる一方、引起しチェン１７の下降経路では、引起し爪１８を倒伏させる茎稈引起し装置１０において、引起しチェン１７の下降経路終端側に、下降する引起し爪１８の基端部に接当して、この引起し爪１８を起立させる主爪起し部材２２と、該主爪起し部材２２の上流側で引起し爪１８の基端部に弾性的に接当して、この引起し爪１８を予備的に起立させる可撓性の補助爪起し部材２３とを設け、さらに、該補助爪起し部材２３を、主爪起し部材２２よりも引起しチェン１７側に突出させる。【選択図】        図２
2005328757.tif 000002
【特許請求の範囲】
【請求項１】
複数の引起し爪が起伏自在に枢着された無端状の引起しチェンを、引起しケースの上下に設けられる駆動輪及び従動輪に懸回すると共に、前記引起しチェンの上昇経路では、前記引起し爪を起立させる一方、前記引起しチェンの下降経路では、前記引起し爪を倒伏させる茎稈引起し装置において、
前記引起しチェンの下降経路終端側に、下降する前記引起し爪の基端部に接当して、この引起し爪を起立させる主爪起し部材と、該主爪起し部材の上流側で前記引起し爪の基端部に弾性的に接当して、この引起し爪を予備的に起立させる可撓性の補助爪起し部材とを設け、さらに、該補助爪起し部材を、前記主爪起し部材よりも前記引起しチェン側に突出させたことを特徴とする茎稈引起し装置。
【請求項２】
前記補助爪起し部材の先端部に、前記引起しチェンが入り込む凹部を形成したことを特徴とする請求項１記載の茎稈引起し装置。
【発明の詳細な説明】
【技術分野】
【０００１】
本発明は、コンバイン、バインダなどの茎稈刈取作業機に設けられる茎稈引起し装置に関する。
【背景技術】
【０００２】
一般に、コンバイン、バインダなどの茎稈刈取作業機は、倒伏した茎稈を引き起す茎稈引起し装置を備える。この種の茎稈引起し装置は、複数の引起し爪が起伏自在に枢着された無端状の引起しチェンを、引起しケースの上下に設けられる駆動輪及び従動輪に懸回して構成されており、引起しチェンの上昇経路では、引起し爪を起立させて茎稈の引き起しを行う一方、引起しチェンの下降経路では、引起し爪を倒伏させる。
【０００３】
倒伏した引起し爪の起立動作は、引起しチェンの下降経路終端部に設けられる爪起し部材によって行われる。この爪起し部材は、下降する引起し爪を、その基端部との接当によって起立させるが、通常、引起し爪及び爪起し部材は、樹脂で形成されているため、繰り返し行われる接当により、摩耗や疲労破損が発生し易いだけでなく、騒音源となる不都合があった。また、引起し爪や爪起し部材が摩耗すると、引起し爪の基端部を導入する導入経路の幅が広がるため、引起し爪が倒伏したまま上昇経路に導かれる可能性があった。
【０００４】
そこで、主爪起し部材の上流側に、引起し爪を予備的に起立させる可撓性の補助引起し部材を設けることが提案される（例えば、特許文献１参照。）。このような構成によれば、引起し爪と爪起し部材の接当に際し、その衝撃が緩和されるので、引起し爪及び爪起し部材の摩耗や騒音を低減させることが可能になる。
【特許文献１】特開２００３−２３８３６号公報
【発明の開示】
【発明が解決しようとする課題】
【０００５】
しかしながら、特許文献１に示されるものでは、引起しチェンが脈動（左右への振れ）した場合、引起し爪が補助爪起し部材に接当することなく（あるいは十分な予備起立作用を受けることなく）、主爪起し部材の位置まで到達する可能性がある。このような場合には、補助爪起し部材が機能せずに、引起し爪と爪起し部材が直接接当することになるので、従来と同様に、引起し爪や爪起し部材が摩耗したり、騒音を発生させる不都合があった。
【課題を解決するための手段】
【０００６】
本発明は、上記の如き実情に鑑みこれらの課題を解決することを目的として創作されたものであって、複数の引起し爪が起伏自在に枢着された無端状の引起しチェンを、引起しケースの上下に設けられる駆動輪及び従動輪に懸回すると共に、前記引起しチェンの上昇経路では、前記引起し爪を起立させる一方、前記引起しチェンの下降経路では、前記引起し爪を倒伏させる茎稈引起し装置において、前記引起しチェンの下降経路終端側に、下降する前記引起し爪の基端部に接当して、この引起し爪を起立させる主爪起し部材と、該主爪起し部材の上流側で前記引起し爪の基端部に弾性的に接当して、この引起し爪を予備的に起立させる可撓性の補助爪起し部材とを設け、さらに、該補助爪起し部材を、前記主爪起し部材よりも前記引起しチェン側に突出させたことを特徴とする。このようにすれば、引起しチェンが脈動しても、引起し爪を補助爪起し部材に確実に接当させて、引起し爪及び爪起し部材の摩耗や騒音を低減できる。
また、前記補助爪起し部材の先端部に、前記引起しチェンが入り込む凹部を形成したことを特徴とする。このようにすれば、補助爪起し部材を、引起しチェンの内周位置を越えて突出させることができるので、引起し爪と補助爪起し部材の接当がより確実になる。
【発明を実施するための最良の形態】
【０００７】
次に、本発明の実施形態を図面に基づいて説明する。図１において、１はコンバインであって、該コンバイン１は、茎稈を刈取る前処理部２と、刈取茎稈から穀粒を脱穀し、かつ脱穀した穀粒を選別する脱穀部３と、選別した穀粒を貯溜する穀粒タンク４と、脱穀済みの排稈を後処理する後処理部（図示せず）と、左右一対のクローラ走行装置からなる走行部６と、運転席７や各種の操作具が設けられる操作部８とを備えて構成されている。
【０００８】
また、前処理部２は、未刈り茎稈を分草するデバイダ９と、未刈り茎稈を引き起す茎稈引起し装置１０と、茎稈を掻き込む掻き込み装置（図示せず）と、掻き込まれた茎稈の株元を切断する刈刃装置（図示せず）と、刈取茎稈を集稈し、かつ後方へ搬送する株元搬送装置（図示せず）と、縦姿勢の茎稈を横姿勢に変姿させながら脱穀部３に向けて搬送する扱深さ搬送装置（図示せず）とから構成されている。
【０００９】
図２に示すように、茎稈引起し装置１０は、通常、左右方向に所定の間隔を存して立設される複数の引起しケース１１を備えて構成され、引起しケース１１間に導入される茎稈を引き起すように動作される。各引起しケース１１は、引起しフレーム１２と、その上端部に設けられる駆動輪（スプロケット）１３と、引起しフレーム１２の下端部に設けられる従動輪（スプロケット）１４と、駆動軸１３ａを支点として揺動自在に支持されるテンションプーリ１５と、テンションプーリ１５を外方へ付勢するテンションバネ１６と、駆動輪１３、従動輪１４及びテンションプーリ１５の懸回される無端状の引起しチェン１７と、引起しチェン１７に起伏自在に枢着される複数の引起し爪１８と、引起し爪１８の姿勢ガイドを行う内外のガイド部材１９、２０とを備えている。尚、図２では、引起しケース１１の内部を示すために、一部の引起しケース１１において前カバー１１ａを取り外した状態を示している。
【００１０】
引起しチェン１７の上昇経路では、引起し爪１８を起立させて茎稈の引き起しを行い、引起しチェン１７の下降経路では、引起し爪１８を倒伏させる。起立した引起し爪１８の倒伏動作は、駆動輪１３の上方に設けられる爪倒し部材２１によって行われる。この爪倒し部材２１は、引起しチェン１７が上昇から下降に転じる方向転換経路において、引起し爪１８の先端側に干渉して、引起し爪１８を倒伏させる。
【００１１】
一方、倒伏した引起し爪１８の起立動作は、引起しチェン１７の下降経路終端部に設けられる爪起し部材２２、２３によって行われる。本発明の茎稈引起し装置１０は、爪起し部材２２、２３として、従動輪１４の上側近傍に設けられる主爪起し部材２２と、その上流側に設けられる補助爪起し部材２３とを備え、特に、補助爪起し部材２３に特徴を有している。
【００１２】
主爪起し部材２２は、引起し爪１８の基端部に形成されるカム部１８ａとの接当により、引起し爪１８を起立させる。通常、引起し爪１８及び主爪起し部材２２は、可撓性を持たない樹脂で形成されているため、繰り返し行われる接当により、摩耗や疲労破損が発生し易いだけでなく、騒音源となる可能性がある。また、引起し爪１８や主爪起し部材２２が摩耗した場合は、引起し爪１８の基端部を導入する導入経路の幅が広がり、引起し爪１８が倒伏したまま上昇経路に導かれる可能性がある。
【００１３】
補助爪起し部材２３は、上記のような問題を解決するために設けられるものであって、主爪起し部材２２の上流側で引起し爪１８のカム部１８ａに弾性的に接当して、引起し爪１８を予備的に起立させる。これにより、引起し爪１８と主爪起し部材２２の接当に際し、その衝撃が緩和されるので、引起し爪１８及び主爪起し部材２２の摩耗や騒音を低減させることができる。補助爪起し部材２３の素材としては、良好な緩衝性能、反発弾性、耐摩耗性などを有する可撓性の樹脂が好ましい。例えば、ゴムとプラスチックの中間的な特性を有するポリウレタンゴムを好適に用いることができる。また、補助爪起し部材２３の形状は、特に限定されないが、弾性変形が容易なプレート状が好ましい。この場合、補助爪起し部材２３の肉厚方向と、引起し爪１８の移動方向とが略一致することが好ましい。
【００１４】
補助爪起し部材２３は、引起しフレーム１２又は主爪起し部材２２に設けられるブラケット２４の先端部に取り付けられる。ブラケット２４の先端部には、固定プレート２４ａ（正面視Ｌ字状）が固設されており、この固定プレート２４ａと着脱プレート２５（正面視Ｌ字状）の間に、補助爪起し部材２３の基端部を挟んだ上、着脱プレート２５を固定プレート２４ａにネジ止めすることにより、補助爪起し部材２３が取り付けられ、また、逆の手順によって補助爪起し部材２３が取り外される。このように構成すると、補助爪起し部材２３が摩耗したとき、その交換が容易になる。
【００１５】
補助爪起し部材２３は、下降してくる引起し爪１８のカム部１８ａに干渉するように、ブラケット２４の先端部から引起しチェン１７に向けて突出されている。このとき、本発明では、補助爪起し部材２３の先端部を、主爪起し部材２２の外端位置よりも引起しチェン１７側に突出させる。これにより、引起しチェン１７が脈動しても、引起し爪１８と補助爪起し部材２３を確実に接当させることができる。その結果、補助爪起し部材２３による引起し爪１８の予備的な起立動作が確実に行われ、引起し爪１８及び主爪起し部材２２の摩耗防止効果や騒音防止効果が高められる。
【００１６】
また、図３に示すように、補助爪起し部材２３の先端部には、凹部２３ａを形成することが好ましい。このようにすると、凹部２３ａに引起しチェン１７を入り込ませることにより、補助爪起し部材２３を、引起しチェン１７の内周位置を越えて突出させることが可能になる。これにより、引起し爪１８と補助爪起し部材２３の接当がより確実になる。
【００１７】
叙述の如く構成された本実施形態の茎稈引起し装置１０は、複数の引起し爪１８が起伏自在に枢着された無端状の引起しチェン１７を、引起しケース１１の上下に設けられる駆動輪１３及び従動輪１４に懸回して構成され、引起しチェン１７の上昇経路では、引起し爪１８を起立させる一方、引起しチェン１７の下降経路では、引起し爪１８を倒伏させるものであるが、引起しチェン１７の下降経路終端側に、下降する引起し爪１８の基端部に接当して、この引起し爪１８を起立させる主爪起し部材２２と、該主爪起し部材２２の上流側で引起し爪１８の基端部に弾性的に接当して、この引起し爪１８を予備的に起立させる可撓性の補助爪起し部材２３とを設け、さらに、該補助爪起し部材２３を、主爪起し部材２２よりも引起しチェン１７側に突出させたので、引起しチェン１７が脈動しても、引起し爪１８を補助爪起し部材２３に確実に接当させて、引起し爪１８及び主爪起し部材２２の摩耗や騒音を低減できる。
【００１８】
また、補助爪起し部材２３の先端部に、引起しチェン１７が入り込む凹部２３ａを形成したので、補助爪起し部材２３を、引起しチェン１７の内周位置を越えて突出させることができる。これにより、引起し爪１８と補助爪起し部材２３の接当がより確実になり、引起し爪１８及び主爪起し部材２２の摩耗防止効果や騒音防止効果が高められる。
【図面の簡単な説明】
【００１９】
【図１】コンバインの斜視図である。
【図２】茎稈引起し装置の正面図である。
【図３】茎稈引起し装置の要部斜視図である。
【符号の説明】
【００２０】
１      コンバイン
２      前処理部
１０    茎稈引起し装置
１１    引起しケース
１３    駆動輪
１４    従動輪
１７    引起しチェン
１８    引起し爪
２１    爪倒し部材
２２    主爪起し部材
２３    補助爪起し部材
２３ａ  凹部
２４    ブラケット
【図１】
2005328757.tif 000003
【図２】
2005328757.tif 000004
【図３】
2005328757.tif 000005